【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ＥＣＧ信号中のノイズを低減する、コンピュータによって実装される方法であって、
近似係数のセットおよび詳細係数の複数のセットを生成するために、プロセッサによってＥＣＧ波形をウェーブレット分解することと、
変更された近似係数のセットを生成するために、前記ＥＣＧ波形の獲得の間の被検者の動きに起因するノイズを低減するために、プロセッサによって前記近似係数のセットを変更することと、
を備え、前記近似係数のセットを前記変更することは、二次多項式に前記近似係数の隣接するサブセットを局所的にフィットさせることを備える、方法。
【請求項２】
変更された近似係数のセットを生成するために、前記二次多項式の対応する値を引くことによって、前記近似係数のセットを調整することをさらに備える、請求項１に記載の方法。
【請求項３】
詳細係数のＤ１、Ｄ２、およびＤ３のセットの値をゼロに設定することをさらに備える、請求項１に記載の方法。
【請求項４】
前記ＥＣＧ波形中のＥＭＧ信号に起因するノイズを低減するために、前記ＥＣＧ信号のＲ波に対する前記詳細係数の位置に少なくとも部分的に基づいて分解の前記詳細係数をポジション閾値化することをさらに備える、請求項１、２、または３のいずれか１項に記載の方法。
【請求項５】
前記ポジション閾値化された詳細係数は、詳細係数のＤ４およびＤ５のセットを備える、請求項４に記載の方法。
【請求項６】
前記変更された近似係数の導関数に少なくとも部分的に基づいて前記ＥＣＧ波形のＲ波の位置を決定することと、
前記ＥＣＧ波形中のＥＭＧ信号に起因するノイズを低減するために、前記ＥＣＧ信号の前記Ｒ波に対する前記詳細係数の位置に少なくとも部分的に基づいて分解の詳細係数をポジション閾値化することと、
をさらに備える、請求項２に記載の方法。
【請求項７】
前記近似係数のセットは、５次レベルの近似係数を備える、請求項１、２、３、５、または６のいずれか１項に記載の方法。
【請求項８】
ＥＣＧ信号処理装置であって、
近似係数のセットおよび詳細係数の複数のセットを生成するために、ＥＣＧ波形をウェーブレット分解することと、
変更された近似係数のセットを生成するために、前記ＥＣＧ波形の獲得の間の被検者の動きに起因するノイズを低減するために、前記近似係数のセットを変更することと、
を行うように構成されたプロセッサを備え、前記プロセッサは、二次多項式に前記近似係数の隣接するサブセットを局所的にフィットさせることによって、前記近似係数のセットを変更するように構成される、装置。
【請求項９】
前記プロセッサは、前記ＥＣＧ波形中のＥＭＧ信号に起因するノイズを低減するために、前記ＥＣＧ信号のＲ波に対する前記詳細係数の位置に少なくとも部分的に基づく分解の詳細係数を、ポジション閾値化するようにさらに構成される、請求項８に記載の装置。
【請求項１０】
前記装置は、ＥＣＧ電極、Ａ／Ｄコンバータ、および被検者の体に取り付けるために構成されたアンテナを備える、請求８または９に記載の装置。
【請求項１１】
ＥＣＧ信号中のノイズを低減する、コンピュータによって実装される方法であって、
近似係数のセットおよび詳細係数の複数のセットを生成するために、プロセッサによってＥＣＧ波形をウェーブレット分解することと、
前記ＥＣＧ波形中のＥＭＧ信号に起因するノイズを低減するために、前記ＥＣＧ信号のＲ波に対する前記詳細係数の時間内の位置に少なくとも部分的に基づいて分解の詳細係数を、ポジション閾値化することと、
を備える、方法。
【請求項１２】
前記ＥＣＧ波形の獲得の間の被検者の動きに起因するノイズを低減するために、プロセッサによって前記近似係数のセットを変更することをさらに備える、請求項１１に記載の方法。
【請求項１３】
前記近似係数のセットを変更することは、二次多項式に前記近似係数の隣接するサブセットを局所的にフィットさせることを備える、請求項１２に記載の方法。
【請求項１４】
分解の詳細係数を前記ポジション閾値化することは、前記Ｒ波からの時間内の所定の距離よりも大きい１つまたは複数の前記詳細係数をゼロにすることを備える、請求項１１に記載の方法。
【請求項１５】
ＥＣＧ信号処理装置であって、
近似係数のセットおよび詳細係数の複数のセットを生成するために、ＥＣＧ波形をウェーブレット分解することと、
前記ＥＣＧ波形中のＥＭＧ信号に起因するノイズを低減するために、前記ＥＣＧ信号のＲ波に対する前記詳細係数の時間内の位置に少なくとも部分的に基づいて分解の詳細係数をポジション閾値化することと、
を行うように構成されたプロセッサを備える装置。
【請求項１６】
前記プロセッサは、前記ＥＣＧ波形の獲得の間の被検者の動きに起因するノイズを低減するために、前記近似係数を変更するようにさらに構成されている、請求項１５に記載の装置。
【請求項１７】
前記プロセッサは、二次多項式に前記近似係数の隣接するサブセットを局所的にフィットさせることによって、前記近似係数を変更するようにさらに構成されている、請求項１６に記載の装置。
【請求項１８】
前記プロセッサは、前記二次多項式の対応する値を引くことによって前記近似係数のセットを調整することによって変更された近似係数のセットを生成するようにさらに構成されている、請求項１７に記載の装置。
【請求項１９】
前記プロセッサは、近似係数の前記変更されたセットの導関数に少なくとも部分的に基づいて、前記ＥＣＧ信号のＲ波の位置を決定するようにさらに構成されている、請求項１８に記載の装置。
【請求項２０】
前記装置は、ＥＣＧ電極、Ａ／Ｄコンバータ、および被検者の体に取り付けるために構成されたアンテナを備える、請求項１５乃至１９のいずれか１項に記載の装置。
【請求項２１】
前記プロセッサは、前記Ｒ波からの時間内の所定の距離よりも大きい１つまたは複数の前記詳細係数をゼロにすることによって、分解の詳細係数をポジション閾値化するように構成される、請求項１５に記載の装置。
【請求項２２】
ＥＣＧ信号を処理する、コンピュータによって実装される方法であって、
近似係数のセットおよび詳細係数の複数のセットを生成するために、プロセッサによってＥＣＧ波形をウェーブレット分解することと、
二次多項式に前記近似係数の隣接するサブセットをプロセッサによって局所的にフィットさせることと、
変更された近似係数のセットを生成するために前記二次多項式を使用して前記近似係数を調整することと、
前記変更された近似係数のセットの導関数に少なくとも部分的に基づいて前記ＥＣＧ信号のＲ波の位置を決定することと、
変更された詳細係数の複数のセットを生成するために前記ＥＣＧ信号の前記Ｒ波に対する前記詳細係数の位置に少なくとも部分的に基づいて、前記詳細係数のいくつかをゼロに設定することによって、分解の詳細係数をプロセッサによってポジション閾値化することと、
を備える方法。
【請求項２３】
前記変更された詳細係数の複数のセットおよび前記変更された近似係数のセットの少なくとも一部から、プロセッサによって前記ＥＣＧ波形を再構成することをさらに備える、請求項２２に記載の方法。
【請求項２４】
前記近似係数のセットは、５次レベルの近似係数を備える、請求項２２または２３に記載の方法。
【請求項２５】
詳細係数のＤ１、Ｄ２およびＤ３のセットの値をゼロに設定することをさらに備える、請求項２２に記載の方法。
【請求項２６】
前記ポジション閾値化された詳細係数は、詳細係数のＤ４、およびＤ５のセットを備える、請求項２２または２５に記載の方法。
【請求項２７】
ＥＣＧ信号中のノイズを低減するための装置であって、
近似係数のセットおよび詳細係数の複数のセットを生成するために、ＥＣＧ波形をウェーブレット分解することと、
前記近似係数の隣接するサブセットを二次多項式に局所的にフィットさせることと、
変更された近似係数のセットを生成するために、前記二次多項式を使用して、前記近似係数を調整することと、
前記変更された近似係数のセットの導関数に少なくとも部分的に基づいて、前記ＥＣＧ信号のＲ波の位置を決定することと、
変更された詳細係数の複数のセットを生成するために、前記ＥＣＧ信号の前記Ｒ波に対する前記詳細係数の位置に少なくとも部分的に基づいて、分解の詳細係数をポジション閾値化することと、
を行うように構成されたプロセッサを備える装置。
【請求項２８】
前記プロセッサは、前記変更された詳細係数の複数のセットおよび前記変更された近似係数のセットの少なくとも一部から、前記ＥＣＧ波形を再構成するようにさらに構成されている、請求項２７に記載の装置。
【請求項２９】
前記装置は、ＥＣＧ電極と、Ａ／Ｄコンバータ、および被検者の体に取り付けるために構成されたアンテナを備える、請求項２７に記載の装置。
【請求項３０】
ＥＣＧ信号を処理するためのデバイスであって、
近似係数のセットおよび詳細係数の複数のセットを生成するために、ＥＣＧ波形をウェーブレット分解するための手段と、
前記近似係数の隣接するサブセットを二次多項式に局所的にフィットさせるための手段と、
変更された近似係数のセットを生成するために、前記二次多項式を使用して、前記近似係数を調整するための手段と、
前記変更された近似係数のセットの導関数に少なくとも部分的に基づいて、前記ＥＣＧ信号のＲ波の位置を決定するための手段と、
変更された詳細係数の複数のセットを生成するために、前記ＥＣＧ信号の前記Ｒ波に対する前記詳細係数の位置に少なくとも部分的に基づいて、前記詳細係数のいくつかをゼロに設定することによって、分解の詳細係数をポジション閾値化するための手段と、
を備えるデバイス。
【請求項３１】
前記変更された詳細係数の複数のセットおよび前記変更された近似係数のセットの少なくとも一部から、前記ＥＣＧ波形を再構成するための手段をさらに備える、請求項３０に記載のデバイス。
【請求項３２】
前記近似係数は、５次レベルの近似係数を備える、請求項３０または３１に記載のデバイス。
【請求項３３】
前記ポジション閾値化された詳細係数は、詳細係数のＤ４およびＤ５のセットを備える、請求項３０または３１に記載のデバイス。
【手続補正２】
【補正対象書類名】明細書
【補正対象項目名】００５０
【補正方法】変更
【補正の内容】
【００５０】
[0059]  同様に、動作が、特定の順序で図に示されているが、このような動作が特定の順序または連続した順序で実施されること、または、全ての示されている動作が所望の結果を得るように実施されることを必要とする、と理解されるべきではない。さらに、図面は、フロー図の形態で１つ以上の実例プロセスを概略的に示し得る。しかしながら、示されていない他の動作が、概略的に示されている実例プロセスに組み込まれることができる。例えば、１つまたは複数の更なる動作は、示されている任意の複数の動作の前、後、同時、または間において実施されることができる。特定の環境において、マルチタスク、および並行プロセスが、有効であり得る。さらに、上記に説明される実装における様々なシステム構成要素の分離が、全ての実装においてこのような分離が必要であると理解されるべきではなく、および、説明されるプログラム構成要素およびシステムは、一般的に、単一のソフトウェア製品において統一され、複数のソフトウェア製品において一括されることができる、と理解されるべきである。加えて、他の実装は、特許請求の範囲の範囲内にある。いくつかの場合では、請求項に記載されている動作は、異なる順序で実施され、さらに所望の結果を得ることができる。
以下に本願発明の当初の特許請求の範囲に記載された発明を付記する。
［Ｃ１］
ＥＣＧ信号中のノイズを低減する、コンピュータによって実装される方法であって、
近似係数のセットおよび詳細係数の複数のセットを生成するために、プロセッサによってＥＣＧ波形をウェーブレット分解することと、
前記ＥＣＧ波形の獲得の間の被検者の動きに起因するノイズを低減するために、プロセッサによって前記近似係数のセットを変更することと、を備える方法。
［Ｃ２］
前記近似係数のセットを変更することは、二次多項式に前記近似係数の隣接するサブセットを局所的にフィットさせることを備える、Ｃ１に記載の方法。
［Ｃ３］
変更された近似係数のセットを生成するために、前記二次多項式の対応する値を引くことによって、前記近似係数のセットを調整することをさらに備える、Ｃ２に記載の方法。
［Ｃ４］
詳細係数のＤ１、Ｄ２、およびＤ３のセットの値をゼロに設定することを備える、Ｃ１に記載の方法。
［Ｃ５］
前記ＥＣＧ波形中のＥＭＧ信号に起因するノイズを低減するために、ＥＣＧ信号のＲ波に対する前記詳細係数の位置に少なくとも部分的に基づいて分解の前記詳細係数をポジション閾値化することをさらに備える、Ｃ１乃至４のいずれか１項に記載の方法。
［Ｃ６］
前記ポジション閾値化された詳細係数は、詳細係数のＤ４およびＤ５のセットを備える、Ｃ５に記載の方法。
［Ｃ７］
前記変更された近似係数の導関数に少なくとも部分的に基づいて前記ＥＣＧ波形のＲ波の位置を決定することと、
前記ＥＣＧ波形中のＥＭＧ信号に起因するノイズを低減するために、前記ＥＣＧ信号のＲ波に対する前記詳細係数の位置に少なくとも部分的に基づいて分解の詳細係数をポジション閾値化することと、をさらに備える、Ｃ３に記載の方法。
［Ｃ８］
前記近似係数のセットは、５次レベルの近似係数を備える、Ｃ１乃至４および６乃至７のいずれか１項に記載の方法。
［Ｃ９］
ＥＣＧ信号処理装置であって、
近似係数のセットおよび詳細係数の複数のセットを生成するために、ＥＣＧ波形をウェーブレット分解することと、
前記ＥＣＧ波形の獲得の間の被検者の動きに起因するノイズを低減するために、前記近似係数のセットを変更することと、
を行うように構成されたプロセッサを備える、装置。
［Ｃ１０］
前記プロセッサは、前記ＥＣＧ波形中のＥＭＧ信号に起因するノイズを低減するために、前記ＥＣＧ信号のＲ波に対する詳細係数の位置に少なくとも部分的に基づく分解の詳細係数を、ポジション閾値化するようにさらに構成される、Ｃ９に記載の装置。
［Ｃ１１］
前記装置は、ＥＣＧ電極、Ａ／Ｄコンバータ、および被検者の体に取り付けるために構成されたアンテナを備える、Ｃ９または１０に記載の装置。
［Ｃ１２］
ＥＣＧ信号中のノイズを低減する、コンピュータによって実装される方法であって、
近似係数のセットおよび詳細係数の複数のセットを生成するために、プロセッサによってＥＣＧ波形をウェーブレット分解することと、
前記ＥＣＧ波形中のＥＭＧ信号に起因するノイズを低減するために、前記ＥＣＧ信号のＲ波に対する前記詳細係数の位置に少なくとも部分的に基づいて分解の詳細係数を、ポジション閾値化することと、
を備える、方法。
［Ｃ１３］
前記ＥＣＧ波形の獲得の間の被検者の動きに起因するノイズを低減するために、プロセッサによって前記近似係数のセットを変更することを、さらに備える、Ｃ１２に記載の方法。
［Ｃ１４］
前記近似係数のセットを変更することは、二次多項式に前記近似係数の隣接するサブセットを局所的にフィットさせることを備える、Ｃ１３に記載の方法。
［Ｃ１５］
ＥＣＧ信号処理装置であって、
近似係数のセットおよび詳細係数の複数のセットを生成するために、ＥＣＧ波形をウェーブレット分解することと、
前記ＥＣＧ波形中のＥＭＧ信号に起因するノイズを低減するために、前記ＥＣＧ信号のＲ波に対する前記詳細係数の位置に少なくとも部分的に基づいて分解の詳細係数をポジション閾値化することと、
を行うように構成されたプロセッサを備える装置。
［Ｃ１６］
前記プロセッサは、前記ＥＣＧ波形の獲得の間の被検者の動きに起因するノイズを低減するために、前記近似係数を変更するようにさらに構成されている、Ｃ１５に記載の装置。
［Ｃ１７］
前記プロセッサは、二次多項式に近似係数の隣接するサブセットを局所的にフィットさせることによって、前記近似係数を変更するようにさらに構成されている、Ｃ１６に記載の装置。
［Ｃ１８］
前記プロセッサは、前記二次多項式の対応する値を引くことによって前記近似係数のセットを調整することによって変更された近似係数のセットを生成するようにさらに構成されている、Ｃ１７に記載の装置。
［Ｃ１９］
前記プロセッサは、近似係数の変更されたセットの導関数に少なくとも部分的に基づいて、前記ＥＣＧ信号のＲ波の位置を決定するようにさらに構成されている、Ｃ１８に記載の装置。
［Ｃ２０］
前記装置は、ＥＣＧ電極、Ａ／Ｄコンバータ、および被検者の体に取り付けるために構成されたアンテナを備える、Ｃ１５乃至１９のいずれか１項に記載の装置。
［Ｃ２１］
ＥＣＧ信号を処理する、コンピュータによって実装される方法であって、
近似係数のセットおよび分解係数（decomposition coefficient）の複数のセットを生成するために、プロセッサによってＥＣＧ波形をウェーブレット分解することと、
二次多項式に前記近似係数の隣接するサブセットをプロセッサによって局所的にフィットさせることと、
変更された近似係数のセットを生成するために前記二次多項式を使用して前記近似係数を調整することと、
前記変更された近似係数のセットの導関数に少なくとも部分的に基づいて前記ＥＣＧ信号のＲ波の位置を決定することと、
変更された詳細係数の複数のセットを生成するために前記ＥＣＧ信号のＲ波に対する前記詳細係数の位置に少なくとも部分的に基づいて、前記詳細係数のいくつかをゼロに設定することによって、分解の詳細係数をプロセッサによってポジション閾値化することと、
を備える方法。
［Ｃ２２］
前記変更された詳細係数の複数のセットおよび前記変更された近似係数のセットの少なくとも一部から、プロセッサによって前記ＥＣＧ波形を再構成することをさらに備える、Ｃ２１に記載の方法。
［Ｃ２３］
前記近似係数のセットは、５次レベルの近似係数を備える、Ｃ２１または２２に記載の方法。
［Ｃ２４］
詳細係数のＤ１、Ｄ２およびＤ３のセットの値をゼロに設定することをさらに備える、Ｃ２１に記載の方法。
［Ｃ２５］
前記ポジション閾値化された詳細係数は、詳細係数のＤ４、およびＤ５のセットを備える、Ｃ２１または２４に記載の方法。
［Ｃ２６］
ＥＣＧ信号中のノイズを低減するための装置であって、
近似係数のセットおよび分解係数（decomposition coefficient）の複数のセットを生成するために、ＥＣＧ波形をウェーブレット分解することと、
前記近似係数の隣接するサブセットを二次多項式に局所的にフィットさせることと、
変更された近似係数のセットを生成するために、前記二次多項式を使用して、前記近似係数を調整することと、
前記変更された近似係数のセットの導関数に少なくとも部分的に基づいて、前記ＥＣＧ信号のＲ波の位置を決定することと、
変更された詳細係数の複数のセットを生成するために、前記ＥＣＧ信号のＲ波に対する前記詳細係数の位置に少なくとも部分的に基づいて、分解の詳細係数をポジション閾値化することと、
を行うように構成されたプロセッサを備える装置。
［Ｃ２７］
前記プロセッサは、前記変更された詳細係数の複数のセットおよび前記変更された近似係数のセットの少なくとも一部から、前記ＥＣＧ波形を再構成するようにさらに構成されている、Ｃ２６に記載の装置。
［Ｃ２８］
前記装置は、ＥＣＧ電極と、Ａ／Ｄコンバータ、および被検者の体に取り付けるために構成されたアンテナを備える、Ｃ２６に記載の装置。
［Ｃ２９］
ＥＣＧ信号を処理するためのデバイスであって、
近似係数のセットおよび詳細係数の複数のセットを生成するために、ＥＣＧ波形をウェーブレット分解するための手段と、
前記近似係数の隣接するサブセットを二次多項式に局所的にフィットさせるための手段と、
変更された近似係数のセットを生成するために、前記二次多項式を使用して、前記近似係数を調整するための手段と、
前記変更された近似係数のセットの導関数に少なくとも部分的に基づいて、前記ＥＣＧ信号のＲ波の位置を決定するための手段と、
変更された詳細係数の複数のセットを生成するために、前記ＥＣＧ信号のＲ波に対する前記詳細係数の位置に少なくとも部分的に基づいて、前記詳細係数のいくつかをゼロに設定することによって、分解の詳細係数をポジション閾値化するための手段と、
を備えるデバイス。
［Ｃ３０］
前記変更された詳細係数の複数のセットおよび前記変更された近似係数のセットの少なくとも一部から、前記ＥＣＧ波形を再構成するための手段をさらに備える、Ｃ２９に記載のデバイス。
［Ｃ３１］
前記近似係数は、５次レベルの近似係数を備える、Ｃ２９または３０に記載のデバイス。
［Ｃ３２］
前記ポジション閾値化された詳細係数は、詳細係数のＤ４およびＤ５のセットを備える、Ｃ２９または３０に記載のデバイス。